(57)【要約】【課題】  本発明は、基板に搭載されたコネクタ毎に、その隣接した位置でアース接続を行うことができる電子機器のアース構造を提供することを課題とする。【解決手段】  フレーム４と基板５との電気的導通、すなわちフレームグランドパターンのアース接続は、導電材料から形成されているアースバネ１１によって行われる。アースバネ１１は、両端片が互いに向き合うように折り曲げられたＵ字型の板バネであり、一片がフレーム４の外面と接触すると共に、他片がアースバネ取り付け穴１０のフレーム４側の内周面と接触するように挟着されている。挟着された状態では、アースバネ１１の２片は、互いに近づく方向に付勢され、一片がフレーム４の外面に、他片がアースバネ取り付け穴１０のフレーム４側の内周面にそれぞれ押圧されるようになっており、基板５に形成されたＦＧパターンと、フレーム４との電気的導通が図られる。【選択図】        図４
2006093475.tif 000002
【特許請求の範囲】
【請求項１】
フレームに取り付けられた基板を筐体内に収納している電子機器のアース構造であって、
前記フレームは、前記基板の周縁部の一部を囲むように配置されていると共に、
前記基板の周縁部には、前記基板に搭載されたコネクタに隣接してアースバネ取り付け穴が形成されており、
両端片が互いに向き合うように折り曲げられたＵ字型のアースバネが、一片が前記フレームの外面と接触すると共に、他片が前記アースバネ取り付け穴の前記フレーム側の内周面と接触するように挟着され、前記アースバネによって前記基板と前記フレームとの電気的導通が図られていることを特徴とする電子機器のアース構造。
【請求項２】
前記基板には、複数の前記コネクタが搭載され、
前記アースバネ取り付け穴は、複数の前記コネクタに隣接してそれぞれ形成されていることを特徴とする請求項１記載の電子機器のアース構造。
【請求項３】
前記アースバネ取り付け穴は、前記コネクタの間に他の回路部品が介在しない位置に形成されていることを特徴とする請求項１又は２記載の電子機器のアース構造。
【発明の詳細な説明】
【技術分野】
【０００１】
本発明は、電子機器のアース構造に関し、特に基板とフレームとを接続することによって基板がアース接続されている電子機器のアース構造に関する。
【背景技術】
【０００２】
図５は、従来の電子機器のアース構造の構成を示す断面図である。
携帯型ＭＤプレーヤや携帯型ハードティスクプレーヤ等の電子機器において、筐体２０内に収納されている基板２１のアース構造は、図５（ａ）に示すように、基板２１をフレーム２２に取り付けるためのビス２３によって、基板２１とフレーム２２との電気的導通を図り、さらに、図５（ｂ）に示すように、フレーム２２を筐体２０に取り付けるためのビス２３によって、フレーム２２と筐体２０との電気的導通を図るように構成されている。
【０００３】
また、他のアース構造としては、基板を支持する棚板と、棚板に形成された貫通孔と、棚板に固定される固定金具と、固定金具に形成され、棚板の貫通孔に挿通されてその先端が貫通孔から突出する起立舌片と、起立舌片に被着されるばね部材とを備え、基板をばね部材に弾性的に接触するように配置することによって、ばね部材によって基板と棚板との電気的導通を図ることが提案されている（例えば、特許文献１参照）。
【０００４】
しかしながら、ＵＳＢ２．０をサポートした電子機器の場合には、転送速度が高速であるため、基板に搭載されたコネクタ毎に、その隣接した位置でアース接続を行う必要があるが、ビスによって電気的導通を図る従来技術では、全てのコネクタの隣接した位置にビス留めを行う領域をそれぞれ確保することが困難であり、基板に搭載されたコネクタ毎にアース接続を行うことができないと共に、特許文献１に示されている従来技術では、ばね部材が基板面に弾性的に接触するように構成されているため、基板に搭載されたコネクタに隣接した位置でのアース接続を行うことができないという問題点があった。
【特許文献１】特開２０００−７７８６８号公報
【発明の開示】
【発明が解決しようとする課題】
【０００５】
本発明は斯かる問題点に鑑みてなされたものであり、その目的とするところは、基板に搭載されたコネクタ毎に、その隣接した位置でアース接続を行うことができる電子機器を提供する点にある。
【課題を解決するための手段】
【０００６】
本発明は上記課題を解決すべく、以下に掲げる構成とした。
本発明の電子機器のアース構造は、フレームに取り付けられた基板を筐体内に収納している電子機器のアース構造であって、前記フレームは、前記基板の周縁部の一部を囲むように配置されていると共に、前記基板の周縁部には、前記基板に搭載されたコネクタに隣接してアースバネ取り付け穴が形成されており、両端片が互いに向き合うように折り曲げられたＵ字型のアースバネが、一片が前記フレームの外面と接触すると共に、他片が前記アースバネ取り付け穴の前記フレーム側の内周面と接触するように挟着され、前記アースバネによって前記基板と前記フレームとの電気的導通が図られていることを特徴とする。
【０００７】
さらに、本発明の電子機器のアース構造は、前記基板には、複数の前記コネクタが搭載され、前記アースバネ取り付け穴は、複数の前記コネクタに隣接してそれぞれ形成されていることを特徴とする。
【０００８】
さらに、本発明の電子機器のアース構造は、前記アースバネ取り付け穴は、前記コネクタの間に他の回路部品が介在しない位置に形成されていることを特徴とする。
【発明の効果】
【０００９】
本発明の電子機器のアース構造は、両端片が互いに向き合うように折り曲げられたＵ字型のアースバネを、一片がフレームの外面と接触すると共に、他片が基板の周縁部に形成されたアースバネ取り付け穴のフレーム側の内周面と接触するように挟着することによって、基板とフレームとの電気的導通を図るように構成することにより、少ない面積でアース構造を実現することができ、基板に搭載されたコネクタ毎に、その隣接した位置でアース接続を行うことができるという効果を奏する。
【発明を実施するための最良の形態】
【００１０】
以下、本発明の実施の形態を図面に基づいて詳細に説明する。
【００１１】
図１は、本発明に係る電子機器の実施の形態の外観構成を示す外観図であり、図２は、本発明に係る電子機器の実施の形態のフレームおよび基板の取り付け例を示す分解図であり、図３は、図２に示す基板の構成を示す上面図であり、図４は、本発明に係る電子機器のアース構造の実施の形態の構成を示す断面図である。
【００１２】
本実施の形態の電子機器は、携帯型ＭＤプレーヤや携帯型ハードティスクプレーヤ等の音声信号を再生／記録する携帯型の音声再生／記録装置であり、図１を参照すると、上キャビ１、センタキャビ２および底キャビ３からなる筐体を有し、図２に示すように、底キャビ３にフレーム４がビス６によって取り付けられていると共に、フレーム４に基板５がビス６によって取り付けられている。
【００１３】
フレーム４は、コの字状に折り曲げられた板状部材であり、導電材料から形成されている。また、フレーム４には、ビス６によって基板５を取り付けるためのビス締め部７が延出されて形成されており、フレーム４に基板５を取り付けた状態では、フレーム４は、図３に示すように、基板５の周縁部の三方向を囲むように配置される。
【００１４】
基板５には、図３を参照すると、各種回路部品８が搭載され、半田付けしてあると共に、周縁部には、コネクタ９が搭載され、半田付けしてある。コネクタ９としては、ＵＳＢ端子、ヘッドホン端子、マイク端子、信号入力端子、クレードル端子等が考えられ、通常、複数のコネクタ９が基板５の周縁部に搭載されている。
【００１５】
また、基板５の周縁部には、基板５に搭載された各コネクタ９にそれぞれ隣接、すなわちコネクタ９の間に他の回路部品８が介在しない位置にアースバネ取り付け穴１０がそれぞれ形成されており、アースバネ取り付け穴１０の内周面には、隣接するコネクタ９のアース端子から引き出されたフレームグラウンドパターン（以下、ＦＧパターンと称す）が形成されている。
【００１６】
フレーム４と基板５との電気的導通、すなわちＦＧパターンのアース接続は、導電材料から形成されているアースバネ１１によって行われる。アースバネ１１は、図４に示すように、両端片が互いに向き合うように折り曲げられたＵ字型の板バネであり、一片がフレーム４の外面と接触すると共に、他片がアースバネ取り付け穴１０のフレーム４側の内周面と接触するように挟着されている。挟着された状態では、図４に矢印で示すように、アースバネ１１の両端片は、互いに近づく方向に付勢され、一片がフレーム４の外面に、他片がアースバネ取り付け穴１０のフレーム４側の内周面にそれぞれ押圧されるようになっており、基板５、すなわち基板５に形成されたＦＧパターンと、フレーム４との電気的導通が図られる。
【００１７】
アースバネ取り付け穴１０の内周面とアースバネ１１の他片との接触面積は、大きい方が望ましく、アースバネ１１の他片における接触面の形状をアースバネ取り付け穴１０の内周面の形状と同一にすると良い。すなわち、図３に示すように、アースバネ取り付け穴１０の形状が円形である場合には、アースバネ取り付け穴１０の内周面の形状に合わせて、アースバネ１１の他片における接触面の形状を湾曲させることにより、アースバネ取り付け穴１０の内周面とアースバネ１１の他片との接触面積を大きくすることができる。
【００１８】
以上説明したように、本実施の形態によれば、両端片が互いに向き合うように折り曲げられたＵ字型のアースバネ１１を、一片がフレーム４の外面と接触すると共に、他片が基板５の周縁部に形成されたアースバネ取り付け穴１０のフレーム側の内周面と接触するように挟着することによって、基板５とフレーム４との電気的導通を図るように構成することにより、少ない面積でアース構造を実現することができ、基板５に搭載されたコネクタ９毎に、その隣接した位置でアース接続を行うことができるという効果を奏する。
【００１９】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２０】
【図１】本発明に係る電子機器の実施の形態の外観構成を示す外観図である。
【図２】本発明に係る電子機器の実施の形態のフレームおよび基板の取り付け例を示す分解図である。
【図３】図２に示す基板の構成を示す上面図である。
【図４】本発明に係る電子機器のアース構造の実施の形態の構成を示す断面図である。
【図５】従来の電子機器のアース構造の構成を示す断面図である。
【符号の説明】
【００２１】
１  上キャビ
２  センタキャビ
３  底キャビ
４  フレーム
５  基板
６  ビス
７  ビス締め部
８  回路部品
９  コネクタ
１０  アースバネ取り付け穴
１１  アースバネ
【図１】
2006093475.tif 000003
【図２】
2006093475.tif 000004
【図３】
2006093475.tif 000005
【図４】
2006093475.tif 000006
【図５】
2006093475.tif 000007